(57)【要約】【課題】エンボス領域が形成されているディスクをマウントした時に発生するマウントエラーを低減できるようにする。【解決手段】光ディスクからの反射光を電気信号に変換する感度を複数設定可能な受光センサが所定の感度に制御された状態において、前記反射光を電気信号に変換する光電変換を行って再生信号を生成する手段と、前記生成された再生信号の振幅を測定する手段と、前記生成された再生信号の再生処理を行う手段と、前記受光センサの感度を制御する光学制御手段とを設け、前記再生信号処理手段により行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記光電変換をし直して、受光センサの感度に起因するエンボスエリアの再生不良を低減させる。【選択図】  図１
2010061749.tif 000002
【特許請求の範囲】
【請求項１】
光ディスクに対してスポット光を照射するとともに、前記光ディスクからの反射光を受光センサにより受光し、情報の記録及び／又は再生を行う光ディスク装置であって、
前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行することを特徴とする光ディスク装置。
【請求項２】
光ディスクに対してスポット光を照射するとともに、前記光ディスクからの反射光を受光し、情報の記録及び／又は再生を行う光ディスク装置であって、
前記反射光を電気信号に変換する感度を複数設定可能な受光センサを有し、前記受光センサが所定の感度に制御された状態において前記反射光を電気信号に変換する光電変換を行って再生信号を生成する再生信号生成手段と、
前記再生信号生成手段により生成された再生信号の振幅を測定する振幅測定手段と、
前記再生信号生成手段により生成された再生信号の再生処理を行う再生信号処理手段と、
前記受光センサの感度を制御する光学制御手段とを有し、
前記光学制御手段は、前記再生信号処理手段により行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成手段による光電変換をし直すように制御することを特徴とする光ディスク装置。
【請求項３】
前記再生信号生成手段による光電変換をし直す領域は、エンボス加工によって記録された領域であることを特徴とする請求項２に記載の光ディスク装置。
【請求項４】
前記再生信号生成手段による光電変換をし直すように制御するのは、前記光ディスクが装着された後に行われるマウント処理の時であることを特徴とする請求項２または３に記載の光ディスク装置。
【請求項５】
前記光学制御手段は、前記再生信号処理手段により行われた再生信号の振幅測定の結果が、予め決められた所定の閾値を外れているか否かを判断し、前記所定の閾値を外れていた場合には前記受光センサの感度を保持し、前記エンボス加工によって記録された領域の再生終了後、前記保持した受光センサの感度を読み出して前記再生信号生成手段に再設定することを特徴とする請求項３または４に記載の光ディスク装置。
【請求項６】
光ディスクに対してスポット光を照射するとともに、前記光ディスクからの反射光を受光センサにより受光し、情報の記録及び／又は再生を行う光ディスク装置の制御方法であって、
前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行することを特徴とする光ディスク装置の制御方法。
【請求項７】
光ディスクに対してスポット光を照射するとともに、前記光ディスクからの反射光を受光し、情報の記録及び／又は再生を行う光ディスク装置の制御方法であって、
前記反射光を電気信号に変換する感度を複数設定可能な受光センサを有し、前記受光センサが所定の感度に制御された状態において前記反射光を電気信号に変換する光電変換を行って再生信号を生成する再生信号生成工程と、
前記再生信号生成工程において生成された再生信号の振幅を測定する振幅測定工程と、
前記再生信号生成工程において生成された再生信号の再生処理を行う再生信号処理工程と、
前記受光センサの感度を制御する光学制御工程とを有し、
前記光学制御工程は、前記再生信号処理工程において行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成工程における光電変換をし直すように制御することを特徴とする光ディスク装置の制御方法。
【請求項８】
前記再生信号生成工程における光電変換をし直す領域は、エンボス加工によって記録された領域であることを特徴とする請求項７に記載の光ディスク装置の制御方法。
【請求項９】
前記再生信号生成工程における光電変換をし直すように制御するのは、前記光ディスクが装着された後に行われるマウント処理の時であることを特徴とする請求項７または８に記載の光ディスク装置の制御方法。
【請求項１０】
前記光学制御工程は、前記再生信号処理工程において行われた再生信号の振幅測定の結果が、予め決められた所定の閾値を外れているか否かを判断し、前記所定の閾値を外れていた場合には前記受光センサの感度を保持し、前記エンボス加工によって記録された領域の再生終了後、前記保持した受光センサの感度を読み出して前記再生信号生成工程に再設定することを特徴とする請求項８または９に記載の光ディスク装置の制御方法。
【請求項１１】
光ディスクに対してスポット光を照射するとともに、前記光ディスクからの反射光を受光センサにより受光し、情報の記録及び／又は再生を行う光ディスク装置の制御方法をコンピュータに実行させるプログラムであって、
前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行する処理をコンピュータに実行させることを特徴とするプログラム。
【請求項１２】
光ディスクに対してスポット光を照射するとともに、前記光ディスクからの反射光を受光し、情報の記録及び／又は再生を行う光ディスク装置の制御方法をコンピュータに実行させるプログラムであって、
前記反射光を電気信号に変換する感度を複数設定可能な受光センサを有し、前記受光センサが所定の感度に制御された状態において前記反射光を電気信号に変換する光電変換を行って再生信号を生成する再生信号生成工程と、
前記再生信号生成工程において生成された再生信号の振幅を測定する振幅測定工程と、
前記再生信号生成工程において生成された再生信号の再生処理を行う再生信号処理工程と、
前記受光センサの感度を制御する光学制御工程とを有し、
前記光学制御工程は、前記再生信号処理工程において行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成工程における光電変換をし直すように制御することをコンピュータに実行させることを特徴とするプログラム。
【請求項１３】
請求項１１または１２に記載のプログラムを記憶したことを特徴とするコンピュータ読み取り可能な記憶媒体。
【発明の詳細な説明】
【技術分野】
【０００１】
本発明は光ディスク装置及び光ディスク装置の制御方法に関し、特に、光ディスク上に物理的に形成されたエンボス部を読み取って光ディスクの種別を特定するために用いて好適な技術に関する。
【背景技術】
【０００２】
従来、ＤＶＤなどの光ディスクに対してデータを記録再生するビデオカメラ等の記録再生装置が知られている。この種の記録再生装置では、一般に、複数の種類のディスク媒体を扱うことが可能となっている。例えば、光ディスクの種類として、ＤＶＤ−Ｒなどの追記型ディスクや、ＤＶＤ−ＲＷなどの書き替え型ディスクがある。また、近年では、ＤＶＤ-Ｒ・ＤＬ等の多層ディスクを扱うことも可能になっている。
【０００３】
そのため、ディスク記録再生装置では、装着されたディスクの種類を検出し、検出したディスクの種類に応じた処理を行うように構成されている。ディスク媒体には、それぞれ、ディスクの種別、固有のディスクＩＤ等の情報が記録されている。また、ディスクの中には、ディスク上に物理的に形成された読み取り専用の領域に対してディスクの種類等の情報が書き込まれているものも存在する。
【０００４】
ＤＶＤディスクの場合、このようなディスク種別、ディスク固有ＩＤ等が記録又は形成されている領域をcontrol Data Zoneと呼んでいる。書き換え可能なＤＶＤ−ＲＷ上には、この領域が物理的に形成されており、エンボスエリアと呼ばれている。
【０００５】
図３は、ＤＶＤ−ＲＷのディスクイメージを示した図である。図３に示すように、Control Data Zoneは、ディスク内周のLead in領域に位置している。そして、光学的記録再生装置に光ディスクが挿入された際のマウント処理は、サーボのためのサーボ調整を行い、サーボをかけた後、前記エンボスエリアの再生を行い、ディスク種別の判断及び、ディスク固有のディスクＩＤを読み込む。ここで、エンボスエリアの再生ができなかった場合は、認識できないディスクとして、マウント処理エラーとする。
【０００６】
ところで、ＤＶＤ−ＲＷのように、物理的に形成されたエンボスエリアと、光記録方法によって記録されたデータエリアとは、再生信号のキャリア／ノイズ及び周波数特性が異なる。よって、それぞれに最適な復号方法を用いて再生を行うことができるようする提案が、例えば、特許文献１により行われている。
【０００７】
前記特許文献１において提案された、「情報再生方法」は、ビットバイビット復号と、ビタビ復号とを切り替える再生方法であり、ビタビ復号によって、エラーレートが高いと判断された場合、ビットバイビット復号に切り替えるように提案している。
【０００８】
【特許文献１】特開平１１−０８６４４３号公報
【発明の開示】
【発明が解決しようとする課題】
【０００９】
しかしながら、ディスクによっては、エンボスエリアの特性がデータエリアと大きく異なっている場合がある。このようなディスクの場合、復号方法を切り替えるだけでは、エンボスエリアの再生が正常に行うことができず、その結果、認識できないディスクとして、マウントエラーとなってしまう問題点がある。
【００１０】
本発明は前述の問題点に鑑み、エンボス領域が形成されているディスクをマウントした時に発生するマウントエラーを低減できるようにすることを目的としている。
【課題を解決するための手段】
【００１１】
本発明の光ディスク装置は、光ディスクに対してスポット光を照射するとともに、前記光ディスクからの反射光を受光センサにより受光し、情報の記録及び／又は再生を行う光ディスク装置であって、前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行することを特徴とする。
また、本発明の光ディスク装置の他の特徴とするところは、光ディスクに対してスポット光を照射するとともに、前記光ディスクからの反射光を受光し、情報の記録及び／又は再生を行う光ディスク装置であって、前記反射光を電気信号に変換する感度を複数設定可能な受光センサを有し、前記受光センサが所定の感度に制御された状態において前記反射光を電気信号に変換する光電変換を行って再生信号を生成する再生信号生成手段と、前記再生信号生成手段により生成された再生信号の振幅を測定する振幅測定手段と、前記再生信号生成手段により生成された再生信号の再生処理を行う再生信号処理手段と、前記受光センサの感度を制御する光学制御手段とを有し、前記光学制御手段は、前記再生信号処理手段により行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成手段による光電変換をし直すように制御することを特徴とする。
【００１２】
本発明の光ディスク装置の制御方法は、光ディスクに対してスポット光を照射するとともに、前記光ディスクからの反射光を受光センサにより受光し、情報の記録及び／又は再生を行う光ディスク装置の制御方法であって、前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行することを特徴とする。
また、本発明の光ディスク装置の制御方法の他の特徴とするところは、光ディスクに対してスポット光を照射するとともに、前記光ディスクからの反射光を受光し、情報の記録及び／又は再生を行う光ディスク装置の制御方法であって、前記反射光を電気信号に変換する感度を複数設定可能な受光センサを有し、前記受光センサが所定の感度に制御された状態において前記反射光を電気信号に変換する光電変換を行って再生信号を生成する再生信号生成工程と、前記再生信号生成工程において生成された再生信号の振幅を測定する振幅測定工程と、前記再生信号生成工程において生成された再生信号の再生処理を行う再生信号処理工程と、前記受光センサの感度を制御する光学制御工程とを有し、前記光学制御工程は、前記再生信号処理工程において行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成工程における光電変換をし直すように制御することを特徴とする。
【００１３】
本発明のプログラムは、光ディスクに対してスポット光を照射するとともに、前記光ディスクからの反射光を受光センサにより受光し、情報の記録及び／又は再生を行う光ディスク装置の制御方法をコンピュータに実行させるプログラムであって、前記光ディスクの装着時にディスク種別情報の再生に失敗した場合には、前記光ディスクの反射波中の高周波信号の振幅判定を行い、前記振幅判定の結果が正常であれば前記光ディスクが再生不良であると処理し、前記振幅判定の結果が異常であれば前記受光センサの感度を変更して前記ディスク種別情報の再生を再度実行する処理をコンピュータに実行させることを特徴とする。
また、本発明のプログラムの他の特徴とするところは、光ディスクに対してスポット光を照射するとともに、前記光ディスクからの反射光を受光し、情報の記録及び／又は再生を行う光ディスク装置の制御方法をコンピュータに実行させるプログラムであって、前記反射光を電気信号に変換する感度を複数設定可能な受光センサを有し、前記受光センサが所定の感度に制御された状態において前記反射光を電気信号に変換する光電変換を行って再生信号を生成する再生信号生成工程と、前記再生信号生成工程において生成された再生信号の振幅を測定する振幅測定工程と、前記再生信号生成工程において生成された再生信号の再生処理を行う再生信号処理工程と、前記受光センサの感度を制御する光学制御工程とを有し、前記光学制御工程は、前記再生信号処理工程において行われた再生信号の振幅測定の結果が、予め決められた所定の閾値を外れているか否かを判断し、前記所定の閾値を外れていた場合には前記受光センサの感度を変更するとともに、前記受光センサの感度を変更した状態において、前記再生信号生成工程における光電変換をし直すように制御することをコンピュータに実行させることを特徴とする。
【発明の効果】
【００１４】
本発明によれば、エンボス加工された領域の再生に失敗した際に、エンボス加工された領域を再生した際の信号振幅を評価し、その結果に基いて受光センサの感度を変更し、前記エンボス加工された領域を再度再生するようにした。これにより、受光センサの感度に起因する、前記エンボス加工された領域の再生不良を低減させることが可能となり、マウント時のエラーを低減させることができる。
【発明を実施するための最良の形態】
【００１５】
（第１の実施形態）
図１は、本発明の実施形態としての光ディスク装置１００の構成を示すブロック図である。本実施形態の光ディスク装置１００では、ＤＶＤの如く、ディスクの特定領域に読み取り専用のエンボスエリアが形成された光ディスクから信号を読み取る。もちろん、これ以外の光ディスクから信号を読み取る構成も可能である。
図１において、１０１は光ディスク、１０２は光学ピックアップユニット、１０３は受光センサ、１０４はフォーカスエラー生成回路、１０５はオフセット加算回路、１０６は位相補償回路である。
【００１６】
１０７はフォーカスアクチュエータドライバ、１０８はトラッキングエラー生成回路、１０９はオフセット加算回路、１１０は位相補償回路、１１１はトラックアクチュエータドライバ、１１２はオフセット発生回路である。
【００１７】
１１３は再生信号振幅測定回路、１１４は光学制御部（ゲイン調整手段を含む）、１１５はスピンドルモータ、１１６は再生信号処理回路（復号及び誤り訂正を含む）、１１７は全体制御コントローラ（調整値保持手段を含む）である。
【００１８】
図２は、本実施形態において、ディスクが装着された後に行われるマウント処理時の手順を説明するフローチャートである。
以下、図１及び図２を用いて、本実施形態の光ディスク装置１００によるディスクマウント動作を説明する。
光ディスク１０１の装着時には、光ディスク１０１をスピンドルモータ１１５に固定し、図示しないディスクカバーを閉じることにより、全体制御コントローラ１１７よりディスクのマウント動作が指示されて処理が開始される（ステップＳ２００）。
【００１９】
全体制御コントローラ１１７より、ディスクマウント動作が指示されると、光学制御部１１４により、光学ピックアップユニット１０２内の受光センサ１０３の電気的なオフセット調整を行う（ステップＳ２０１）。ここで行う電気的オフセットは、光学ピックアップユニット１０２内に配設されている図示しないレーザーダイオード（ＬＤ）が発光していない場合に、光学ピックアップユニット１０２内の受光センサ１０３が持っているオフセット値を調整する。
【００２０】
オフセット値の調整は、オフセット発生回路１１２からオフセット加算回路１０５、及びオフセット加算回路１０９にオフセット値を出力して行われる。オフセット加算回路１０５においてはフォーカスエラー生成回路１０４から出力されるエラー値とオフセット値とを加算する。また、オフセット加算回路１０９においては、トラッキングエラー生成回路１０８から出力されるエラー値とオフセット値とを加算する。
【００２１】
その後、光学ピックアップユニット１０２をホームポジションに移動する（ステップＳ２０２）。ホームポジションとは、任意に決めた位置であり、本実施形態では、図３で示した、光ディスク１０１のLead in領域付近をホームポジションとする。
【００２２】
次に、ステップＳ２０３において、光ディスク１０１の有無を判断するために、スピンドルモータ１１５を所定回転数で回転させる。この際、光学制御部１１４は、スピンドルモータ１１５が所定回転数になるまでの時間を測定しており、測定した時間により、光ディスク１０１が正常に固定されているかどうかの判断も行う（ステップＳ２０４）。
【００２３】
ステップＳ２０４の判断の結果、光ディスク１０１が正常に固定されていれば、ステップＳ２０５へ進む。また、異常がある場合は、ディスクが無いと判断して、ステップＳ２２５へ進んでマウントエラーとして処理を終了する。
【００２４】
ステップＳ２０５においては、光学ピックアップユニット１０２内の図示しないレーザーダイオードを発光させる。光学ピックアップユニット１０２内の図示しないレーザーダイオードより発光されたレーザーのスポット光は、光ディスク１０１に照射され、光ディスク１０１で反射した反射光は、光学ピックアップユニット１０２内の受光センサ１０３に再び受光される。この受光時に反射率を測定する（ステップＳ２０６）。この測定は、光ディスク１０１からの反射波中の高周波信号の振幅判定を行うことにより実行している。
【００２５】
受光センサ１０３の出力は電気信号に変換されて再生信号として生成される。受光センサにより生成された再生信号は、フォーカスエラー生成回路１０４、トラッキングエラー生成回路１０８に入力される。受光センサ１０３は、光を電気信号に変換する際の感度を複数設定可能な受光センサである。
【００２６】
すなわち、レーザー光を電気信号に変換する光電変換を行う際の感度を変更可能であり、予め定められた出力に最も近くなるよう、光学制御部１１４が受光センサ１０３の感度設定を調整する。そして、所定の感度に制御された状態において光電変換を行い、再生信号生成をする（ステップＳ２０７）。受光センサ１０３の出力は、この他に、再生信号処理回路１１６に入力され、光ディスク１０１に記録された情報の再生処理が行われるとともに、再生信号振幅測定回路１１３にも入力される。
【００２７】
次に、ステップＳ２０８においてサーボ動作をスタートさせる。受光センサ１０３において電気信号に変換された受光信号はフォーカスエラー生成回路１０４内で、所定の演算方法によって、フォーカス誤差信号となる。同様にトラッキングエラー生成回路１０８内で所定の演算方法によりトラック誤差信号となる。
【００２８】
ここで、所定の演算とは、例えば、フォーカスであれば、非点収差法による４分割受光素子の対角の和同士の差、トラッキングであれば、プッシュプル法による４分割受光素子のトラック方向の和同士の差などでよい。なお、誤差信号検出方法については、前述した方法に限定されない。
【００２９】
フォーカスエラー生成回路１０４の出力であるフォーカス誤差信号は、オフセット加算回路１０５で所定のオフセット値を加算され、位相補償回路１０６に入力される。位相補償回路１０６で位相補償された信号は、フォーカスドライバ１０７に入力され、光学ピックアップユニット１０２内の図示しないフォーカスアクチュエータを駆動してフォーカスサーボ制御を行い、光スポットを光ディスク１０１の情報面に合焦させる。
【００３０】
次に、トラッキングエラー生成回路１０８の出力であるトラック誤差信号は、オフセット加算回路１０９で所定のオフセット値を加算され、位相補償回路１１０に入力される。位相補償回路１１０で位相補償された信号は、トラックアクチュエータドライバ１１１に入力される。トラックアクチュエータドライバ１１１は、光学ピックアップユニット１０２内の図示しないトラックアクチュエータを駆動してトラックサーボ制御を行い、光スポットを光ディスク１０１の情報面トラックにトラッキングする。
【００３１】
次に、ステップＳ２０９に進み、図３で示したエンボス加工によって記録された領域へアドレスシークを行う。次に、ステップＳ２１０に進み、再生信号処理回路１１６において復号処理及び誤り訂正を行い、エンボス領域の再生を行う。次に、ステップＳ２１１において、誤り訂正され、再生が正常に行われたか否かを光学制御部１１４により判断する。
【００３２】
ステップＳ２１１の判断の結果、再生が正常に行われた場合はステップＳ２２４へ進む。また、再生が正常に行われた場合は再生異常として、ステップＳ２１２へ進む。ステップＳ２２４へ進んだ場合は、再生が正常に行われたことにより取得した、エンボスエリアに含まれるディスク種別情報より、ディスク種別を決定する。その後、ステップＳ２２６に進んでマウント動作を終了する。
この様に正常にマウント動作が完了すると、光学制御部１１４は、決定したディスクの種別に応じてスピンドルモータ１１５やピックアップユニット１０２を制御する。
【００３３】
次に、ステップＳ２１１の判断の結果、エンボスエリアの再生が異常だった場合について説明する。
エンボスエリアの再生が異常だった場合は、ステップＳ２１２及びステップＳ２１３において予め定められた、所定回数Ｎ回のリトライを行う。Ｎ回のリトライを行った結果、エンボスエリアを正常に再生できた場合は、ステップＳ２１１からステップＳ２２４へ進み、前述した場合と同様の処理を行う。一方、予め定められた所定回数リトライを行っても再生が異常な場合、リトライをＮ回行ってもエンボスエリアの再生が異常だった場合にはステップＳ２１４へ進む。
【００３４】
ステップＳ２１４においては、再生信号振幅測定回路１１３において再生された信号振幅の測定値が、予め決められた所定の閾値の範囲内であるか否かを判断する。この判断の結果、測定された信号振幅が、予め定められた所定の閾値の範囲内である場合は、再生信号に異常が無いとし、ステップＳ２２５へ進み、前述した場合と同様に、マウントエラーとして処理を終了する。また、ステップＳ２１４の判断の結果、信号振幅に異常があった場合にはステップＳ２１５へ進む。
【００３５】
ステップＳ２１５においては、ステップＳ２０７で決定した受光センサ１０３の感度調整値を保持する。次に、ステップＳ２１６に進んでサーボ動作を停止する。次に、ステップＳ２１７で、ステップＳ２０６と同様に反射率測定を行う。
【００３６】
次に、ステップＳ２１８に進んで受光センサ１０３の感度を再設定する。その後、ステップＳ２１９でサーボ動作を再起動させる。ステップＳ２１７、２１８、２１９の動作は、前述した場合と同様である。
【００３７】
次に、ステップＳ２２０で、エンボス領域の再生を再度実行する。そして、エンボス加工によって記録された領域の再生終了後、ステップＳ２２１において、エンボス領域の再生が正常に行われたか否かを判断する。この判断の結果、正常に行われた場合にはステップＳ２２７へ進み、受光センサ１０３の感度調整値を、保持した値に戻し、ステップＳ２２４へ進み、前述した場合と同様の処理を行う。
【００３８】
一方、ステップＳ２２１の判断の結果、再生が異常な場合には、ステップＳ２２２、ステップＳ２２３で前述した場合と同様に、予め定められた所定回数のリトライを行う。リトライにより、正常に再生できた場合は、ステップＳ２２１からステップＳ２２４へ進み、前述した場合と同様、ディスク種別の決定を行い、マウント動作を終了する。
【００３９】
一方、ステップＳ２２３、２２２のリトライによってもエンボス領域の再生を正常にできない場合は、ステップＳ２２５に進んで、マウントエラーの処理を実行し、マウント動作を終了する。
【００４０】
（本発明に係る他の実施形態）
前述した本発明の実施形態における光ディスク装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４２】
なお、本発明は、前述した光ディスク装置の制御方法における各工程を実行するソフトウェアのプログラム（実施形態では図２に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５１】
【図１】本発明の実施形態を示し、光ディスク装置の構成例を説明するためのブロック図である。
【図２】本発明の実施形態を示し、光ディスク装置の制御方法の手順を説明するフローチャートである。
【図３】ディスクイメージを説明する図である。
【符号の説明】
【００５２】
１０１  光ディスク
１０２  光学ピックアップユニット
１０３  受光センサ
１０４  フォーカスエラー生成回路
１０５  オフセット加算回路
１０６  位相補償回路
１０７  フォーカスアクチュエータドライバ
１０８  トラッキングエラー生成回路
１０９  オフセット加算回路
１１０  位相補償回路
１１１  トラックアクチュエータドライバ
１１２  オフセット発生回路
１１３  再生信号振幅測定回路
１１４  光学制御部
１１５  スピンドルモータ
１１６  再生信号処理回路
１１７  全体制御コントローラ
【図１】
2010061749.tif 000003
【図２】
2010061749.tif 000004
【図３】
2010061749.tif 000005